(57)【要約】【課題】  錠具の鍵穴を隠すことによって鍵穴を直接接触したり覗いたりすることができないため、よりよい盗難防止の効果を有効的に達成することができる。【解決手段】  外枠は錠具の一方の側面に設置され、外枠には収容空間が形成される。変位本体は活動自在に収容空間に挿入され、変位本体には嵌入空間と貫通孔が形成され、貫通孔は変位本体の変位の作動によって鍵穴と合致するように形成される。鍵導入座は活動自在に嵌入空間に挿入され、鍵導入座には挿入孔が形成され、挿入孔に鍵が挿入される固定体は変位本体に設置され、固定体には通孔と収容部が形成される。連桿は通孔と収容部を貫穿するように形成され、連桿の一端は回動自在に形成され、そして連桿のもう一方の端には連接部が設けられ、連接部は鍵を移動して回動するように嵌合して連動することにより、錠具に対して解錠と施錠の作動を行うように構成されている。【選択図】  図１
2010084511.tif 000002
【特許請求の範囲】
【請求項１】
外枠（１）、変位本体（２）、鍵導入座（３）、固定体（５）および連桿（４）を有する鍵穴隠れ式解錠装置において、外枠（１）は鍵穴（８１）を有する錠具（８）の一方の側面に設置され、外枠（１）には収容空間（１１）が形成され、収容空間（１１）は外枠（１）を貫穿して第一貫通孔（１１０）と第二貫通孔（１１２）が形成され、鍵穴（８１）は第一貫通孔（１１０）の範囲中に位置するように形成され、変位本体（２）は外枠（１）の収容空間（１１）に活動自在に挿入され、変位本体（２）にはめくら孔（２９）と貫通孔（３０）が形成され、めくら孔（２９）と貫通孔（３０）の間には嵌入空間（２１）が形成され、嵌入空間（２１）が変位本体（２）の貫通孔（３０）において嵌入孔（２２）が形成され、そして変位本体（２）のめくら孔（２９）には錠具（８）の鍵穴（８１）に対応するように貫通孔（２３）が設けられ、鍵導入座（３）は変位本体（２）の嵌入空間（２１）に挿入され、変位本体（２）は鍵導入座（３）に相対して予定される角度を回動するように形成され、鍵導入座（３）には挿入孔（３１）が形成され、挿入孔（３１）に鍵（７）が挿入され、変位本体（２）を回動することによって変位本体（２）の貫通孔（２３）、鍵導入座（３）の挿入孔（３１）と錠具（８）の鍵穴（８１）は互いに位置合わせされるか、または錠具（８）の鍵穴（８１）を変位本体（２）のめくら孔（２９）によって阻隔するように形成され、固定体（５）は変位本体（２）の貫通孔（３０）においてに固定され、固定体（５）には第一端（５７）、第二端（５８）および第一端（５７）と第二端（５８）を連通した通孔（５１）が形成され、通孔（５１）の一端には収容部（５２）が形成され、連桿（４）は固定体（５）の通孔（５１）を貫穿するように設置され、連桿（４）の第一端は回動自在に形成され、連桿（４）の第二端には連接部（４２）が設けられ、連接部（４２）は鍵（７）を移動して回動するように嵌合して連動することを特徴とする鍵穴隠れ式解錠装置。
【請求項２】
変位本体（２）の貫通孔（２３）は嵌入孔（２２）の中心とずれて偏移の距離を有するように形成されることを特徴とする請求項１に記載の鍵穴隠れ式解錠装置。
【請求項３】
上記偏移の距離は貫通孔（２３）の半径より大きくなるように形成されることを特徴とする請求項２に記載の鍵穴隠れ式解錠装置。
【請求項４】
通孔（５１）には収容部（５２）が形成され、収容部（５２）の中心線は変位本体（２）の貫通孔（２３）の中心線とは同じになるように形成されることを特徴とする請求項１に記載の鍵穴隠れ式解錠装置。
【請求項５】
外枠（１）と鍵導入座（３）との間は位置決め部材（１３）によって連結して固定され、変位本体（２）において位置決め部材（１３）に対応するように円周方向に貫穿した位置決め溝（２４）が設けられることにより、変位本体（２）が外枠（１）と鍵導入座（３）に対して限定された角度内で回動するように制限することを特徴とする請求項１に記載の鍵穴隠れ式解錠装置。
【請求項６】
連桿（４）の第一端にはボタン（４１）が結合され、連桿（４）の連接部（４２）は固定体（５）の収容部（５２）に位置するように形成され、連接部（４２）の外径は固定体（５）の通孔（５１）の孔径より大きくなるように形成されることを特徴とする請求項１に記載の鍵穴隠れ式解錠装置。
【請求項７】
固定体（５）の第一端（５７）と第二端（５８）の間には平面側壁（５６）が形成され、固定体（５）の収容部（５２）には側溝（５３）が設けられ、側溝（５３）は収容部（５２）と平面側壁（５６）は連通するように形成され、連桿（４）の連接部（４２）には側溝（５３）に対応するように係止溝（４３）が設けられ、変位本体（２）が予定される角度を回動する時、側溝（５３）と係止溝（４３）は鍵（７）とは嵌入して結合するように形成されることを特徴とする請求項６に記載の鍵穴隠れ式解錠装置。
【請求項８】
鍵（７）には係止部（７３）が形成され、係止部（７３）は係止溝（４３）が嵌入して結合するのに用いられ、側溝（５３）、係止溝（４３）と係止部（７３）は全て円弧の形態に形成され、そして同じ曲率の半径を有するように形成されることを特徴とする請求項７に記載の鍵穴隠れ式解錠装置。
【請求項９】
鍵導入座（３）の挿入孔（３１）の孔径は連桿（４）の連接部（４２）の最大な径向距離より大きくなるように形成されることを特徴とする請求項１に記載の鍵穴隠れ式解錠装置。
【請求項１０】
鍵導入座（３）の挿入孔（３１）のその内の一端は非正円形に形成され、鍵（７）には嵌入部（７１）が形成され、そして嵌入部（７１）の切断面は挿入孔（３１）のその内の一端とは合致するような非正円形に形成されることを特徴とする請求項１に記載の鍵穴隠れ式解錠装置。
【請求項１１】
解錠装置には他に外カバー（６）が含まれ、外カバー（６）は固定体（５）の外部に覆設され、外カバー（６）には連桿（４）が貫穿するための孔（６１）が設けられ、そして外カバー（６）は連桿（４）とは同期に作動するように形成されることを特徴とする請求項１に記載の鍵穴隠れ式解錠装置。
【発明の詳細な説明】
【技術分野】
【０００１】
本発明は、鍵穴隠れ式解錠装置に関するもので、特に鍵を挿入する鍵穴が隠れても鍵を導入して解錠と施錠の作動を行うことができる鍵穴隠れ式解錠装置に係るものである。
【背景技術】
【０００２】
従来の錠具としては、例えば、従来の錠具には鍵が挿入して合致するための錠芯が一個または複数個含まれ、そして上記錠芯が回動することによってラッチボルトを連動して解除または施錠の作動を行うように形成される。しかし、従来の錠具においては鍵が挿入するための鍵穴は殆ど露出しており、上記露出した鍵穴は悪意を有する人には簡単に工具を利用して破壊して解錠がし易くなったり、甚だしく鍵穴の内部を探測することによって鍵をコピーしたりすることができる。
【０００３】
従来の錠具として、例えば、中華民国公告第Ｍ２８７３６１号「隠れ式の鍵穴を有する安全鍵の構造」（特許文献１を参照）において、錠具は錠具本体の外側には蓋片が設けられ、上記蓋片において上記錠具本体の鍵穴に対応するように貫通孔が形成され、上記蓋片の内面において上記貫通孔の位置に対応するように磁力板が設けられ、上記磁力板には上記貫通孔の孔径より小さくなるような通孔が形成され、上記貫通孔と上記通孔を位置合せした後、磁力を有する収容溝が形成されることにより、飾り蓋を吸い付いて上記鍵穴を隠すことができるようにとしたものがある。
【先行技術文献】
【特許文献】
【０００４】
【特許文献１】中華民国公告番号第Ｍ２８７３６１号公報
【発明の概要】
【発明が解決しようとする課題】
【０００５】
上記のような従来の錠具においては、一般として次のような問題点を有している。上述した従来の錠具は消極的な隠れ方法を採用するもので、悪意を有する人は上記磁力板より磁力の大きい磁石を利用することによって上記飾り蓋を簡単に取り外すことができ、或いは先の細い工具を利用して上記飾り蓋と収容溝の縁から挿入することによって上記飾り蓋を取り外すことができるため、上述した従来の錠具による隠れ式の鍵穴は全くその効果を果たすことができないという問題点があった。このように、上記のような従来の錠具をさらに改良しなければならない。
【０００６】
本発明はこのような問題点に鑑みて発明したものであって、その主な目的とするところは、錠具の鍵穴を隠すことによって上記鍵穴を直接接触したり覗いたりすることができない鍵穴隠れ式解錠装置を提供しようとするものである。
【０００７】
本発明の第二の目的とするところは、鍵を錠具の錠芯に導入することによって錠具に対して解錠または施錠の作動を行うことができる鍵穴隠れ式解錠装置を提供しようとするものである。
【０００８】
本発明の第三の目的とするところは、盗難防止の効果を増やすことができる鍵穴隠れ式解錠装置を提供しようとするものである。
【課題を解決するための手段】
【０００９】
上記目的を達成するために、本発明による鍵穴隠れ式解錠装置は、下記のようになるものである。すなわち、
外枠、変位本体、鍵導入座、固定体および連桿を有する。外枠は鍵穴を有する錠具の一方の側面に設置され、外枠には収容空間が形成される。収容空間は外枠を貫穿して第一貫通孔と第二貫通孔が形成され、鍵穴は第一貫通孔の範囲中に位置するように形成される。変位本体は活動自在に外枠の収容空間に挿入される。変位本体にはめくら孔と貫通孔が形成され、めくら孔と貫通孔の間には嵌入空間が形成され、嵌入空間が変位本体の貫通孔において嵌入孔が形成され、そして変位本体のめくら孔には錠具の鍵穴に対応するように貫通孔が設けられる。鍵導入座は変位本体の嵌入空間に挿入される。変位本体は鍵導入座に相対して予定される角度を回動するように形成され、鍵導入座には挿入孔が形成され、挿入孔に鍵が挿入され、変位本体を回動することによって変位本体の貫通孔、鍵導入座の挿入孔と錠具の鍵穴は互いに位置合わせたり、または錠具の鍵穴を変位本体のめくら孔によって阻隔したりするように形成される。固定体は変位本体の貫通孔において固定される。固定体には第一端、第二端および第一端と第二端を連通した通孔が形成され、通孔の一端には収容部が形成される。連桿は固定体の通孔を貫穿するように設置され、連桿の第一端は回動自在に形成され、連桿の第二端には連接部が設けられる。連接部は鍵を移動して回動するように嵌合して連動する。
【００１０】
また、変位本体の貫通孔は嵌入孔の中心とずれて偏移の距離を有するように形成することもできる。また、偏移の距離は貫通孔の半径より大きくなるように形成することもできる。また、通孔には収容部が形成され、収容部の中心線は変位本体の貫通孔の中心線と同じになるように形成することもできる。また、外枠と鍵導入座との間は位置決め部材によって連結して固定され、変位本体において位置決め部材に対応するように円周方向に貫穿した位置決め溝が設けられることにより、変位本体が外枠と鍵導入座に対して限定された角度内で回動するように制限することもできる。また、連桿の第一端にボタンが結合され、連桿の連接部は固定体の収容部に位置するように形成され、連接部の外径は固定体の通孔の孔径より大きくなるように形成することもできる。また、固定体の第一端と第二端の間に平面側壁が形成され、固定体の収容部に側溝が設けられ、側溝は収容部と平面側壁に連通するように形成され、連桿の連接部には側溝に対応するように係止溝が設けられ、変位本体が予定される角度を回動する時、側溝と係止溝は鍵とは嵌入して結合するように形成することもできる。また、鍵には係止部が形成され、係止部は係止溝が嵌入して結合するのに用いられ、側溝、係止溝と係止部は全て円弧の形態に形成され、そして同じ曲率の半径を有するように形成することもできる。また、鍵導入座の挿入孔の孔径は連桿の連接部の最大な径向距離より大きくなるように形成することもできる。また、鍵導入座の挿入孔の内の一端は非正円形に形成され、鍵には嵌入部が形成され、そして嵌入部の切断面は挿入孔のその内の一端と合致するような非正円形に形成することもできる。また、解錠装置に他に外カバーが含まれ、外カバーは固定体の外部に覆設され、外カバーに連桿が貫穿するための孔が設けられ、そして外カバーは連桿とは同期に作動するように形成することもできる。
【発明の効果】
【００１１】
本発明の鍵穴隠れ式解錠装置によれば、錠具の鍵穴を隠すことによって上記鍵穴を直接接触したり覗いたりすることができないという利点がある。
【００１２】
本発明の鍵穴隠れ式解錠装置によれば、鍵を錠具の錠芯に導入することによって錠具に対して解錠または施錠の作動を行うことができるという利点がある。
【００１３】
本発明の鍵穴隠れ式解錠装置によれば、盗難防止の効果を増やすことができるという利点がある。
【図面の簡単な説明】
【００１４】
【図１】本発明の実施例による鍵穴隠れ式解錠装置の分解斜視図である。
【図２】本発明の実施例による鍵穴隠れ式解錠装置の鍵が挿入された状態の断面図である。
【図３】本発明の実施例による鍵穴隠れ式解錠装置の鍵が挿入された状態の側面断面図である。
【図４】本発明の実施例による鍵穴隠れ式解錠装置の解錠または施錠の作動を行う状態の断面図である。
【図５】本発明の実施例による鍵穴隠れ式解錠装置の解錠または施錠の作動を行う状態の側面断面図である。
【発明を実施するための最良の形態】
【００１５】
本発明の実施の形態について、以下、図面を参照して説明する。図１は本発明の実施例による鍵穴隠れ式解錠装置の分解斜視図である。図１を参照すると、本発明の鍵穴隠れ式解錠装置には外枠１、変位本体２、鍵導入座３、連桿４および固定体５が含まれる。
【００１６】
再び図１を参照すると、外枠１は錠具８の一方の側面に設置され、錠具８には鍵穴８１が形成される。外枠１にはＸ軸の方向に延伸するように収容空間１１が形成され、収容空間１１には第一貫通孔１１０と第二貫通孔１１２が形成され、そして鍵穴８１は第一貫通孔１１０に近寄るように形成される。その他に、外枠１にはさらに位置決め孔１２が含まれ、位置決め孔１２は外枠１の外表面と収容空間１１を連通するように形成される。
【００１７】
変位本体２はＸ軸の方向に沿って回動自在に外枠１の収容空間１１の中に挿入される。変位本体２は中空の円筒体からなり、そして変位本体２にはＸ軸の方向に沿ってめくら孔２９と貫通孔３０が形成される。さらにめくら孔２９と貫通孔３０の間には嵌入空間２１が形成され、嵌入空間２１が変位本体２の貫通孔３０において嵌入孔２２が形成され、そして変位本体２のめくら孔２９には貫通孔２３が設けられる。貫通孔２３の中心と嵌入孔２２の中心（図に示すＸ軸の如く）とは偏移の距離を有するように形成され、そして上記偏移の距離は、好ましくは、貫通孔２３の半径より大きくなるように形成される。その他に、変位本体２には位置決め溝２４が設けられる。位置決め溝２４はめくら孔２９と貫通孔３０の間に位置するように形成され、そして位置決め溝２４は変位本体２の円周方向に沿って嵌入空間２１と変位本体２の外表面を貫穿するように形成される。また、変位本体２には貫通孔３０においてＸ軸の方向に沿って延伸するように側壁２５が形成され、側壁２５の延伸の長さは、好ましくは、嵌入孔２２の周縁の二分の一を有するように形成される。また、側壁２５にはＸ軸の方向に沿って滑動溝２８と位置決め孔２６が設けられる。  
【００１８】
鍵導入座３は変位本体２の嵌入空間２１の中に設置され、そして変位本体２は鍵導入座３に相対して予定される角度を回動することができる。鍵導入座３は、好ましくは、円柱体からなり、鍵導入座３にはＸ軸の方向に沿って第一端３３、第二端３４と挿入孔３１が形成される。挿入孔３１はＸ軸の方向に沿って第一端３３と第二端３４を貫穿するように形成され、さらに挿入孔３１のその内の一端は非正円形に形成される。その他に、鍵導入座３にはさらに係止孔３２が形成される。係止孔３２は鍵導入座３の外表面に位置して外枠１の位置決め孔１２とは位置合わせるように形成され、位置決め部材１３を利用して外枠１の位置決め孔１２から貫穿し、同時に変位本体２の位置決め溝２４を貫穿して鍵導入座３の係止孔３２の中に固定させることにより、外枠１と鍵導入座３を固定することができる。位置決め溝２４の幅が位置決め部材１３の外径より少し大きいため、変位本体２は外枠１と鍵導入座３に対して特定な角度で回動するように作動することができる。
【００１９】
固定体５は変位本体２の側壁２５の貫通孔３０に設置され、そして固定体５は好ましくは側壁２５に対応するように半円形に形成される。固定体５にはＸ軸の方向に沿って第一端５７と第二端５８が形成され、第一端５７と第二端５８の間には円弧面側壁５５と平面側壁５６が形成される。その他に、固定体５には第一端５７と第二端５８を貫通した通孔５１が形成され、通孔５１の一端には収容部５２が形成され、通孔５１と収容部５２は同じ軸心を有するように形成される。収容部５２の孔径は通孔５１の孔径より大きくなるように形成され、収容部５２の内周壁には円弧形の側溝５３が設けられ、側溝５３は固定体５の平面側壁５６とは連通するように形成される。その他に、本実施例において、円弧面側壁５５には位置決め孔５４が形成され、固定部材２７を利用して変位本体２の位置決め孔２６から挿入し、そして固定体５の位置決め孔５４の中に固定させることにより、固定体５と変位本体２は一体になるように固定される。
【００２０】
連桿４は固定体５の通孔５１を貫穿し、そして連桿４にはＸ軸の方向において第一端と第二端が形成される。連桿４はピンまたはねじなどの固定部材４４を利用して連桿４の上記第一端においてボタン４１を組み立てることができ、連桿４の上記第二端には連接部４２が形成される。連接部４２は固定体５の収容部５２に設置される。連接部４２の最大の半径方向の距離は固定体５の通孔５１の内徑より大きくなるように形成される。その他に、本実施例において、連接部４２には係止溝４３が設けられる。連接部４２が収容部５２に結合される時、係止溝４３は固定体５の側溝５３と連通するように形成される。また、連接部４２が挿入孔３１に対応する一端は非正円形に形成され、そして挿入孔３１の孔径は連接部４２の最大の半径方向の距離より大きくなるように形成される。
【００２１】
鍵７の一端には錠具８の鍵穴８１に挿入するための歯部７２が形成され、鍵７のもう一方の端には係止部７３が形成される。鍵７には嵌入部７１が形成され、嵌入部７１は歯部７２と係止部７３との中間に位置するように形成され、そして嵌入部７１の切断面は鍵導入座３の挿入孔３１に形成された非正円形の端縁の形状と合致するように形成されることにより、鍵７は特定の方向だけで挿入孔３１の中に挿入することができるように制限される。その他に、本実施例において、側溝５３、係止溝４３と係止部７３は全て円弧の形態に形成され、そして同じ曲率の半径を有するように形成される。
【００２２】
また、変位本体２の側壁２５と固定体５の外部には他に外カバー６が増設される。外カバー６には固定体５の通孔５１に対応するように孔６１が設けられる。連桿４は外カバー６の孔６１を貫穿し、それからボタン４１を孔６１から突き出ている連桿４の端部に固定され、さらに連桿４においてピンまたは大小径差による係止の作用を利用して外カバー６を連桿４と同期に作動するように形成される。その他に、外カバー６には二個の位置決め孔が設けられ、ピンなどの位置決め部材６２を利用して滑動溝２８と外カバー６の位置決め孔を貫穿することにより、外カバー６は変位本体２と固定体５に対して相対的に軸方向にだけ移動することができるように制限される。
【００２３】
図２は本発明の実施例による鍵穴隠れ式解錠装置の鍵が挿入された状態の断面図で、図３は本発明の実施例による鍵穴隠れ式解錠装置の鍵が挿入された状態の側面断面図である。図１、２、３を参照すると、本発明の解錠装置を使用する時、解錠装置を錠具８の一方の側辺に取り付け、鍵導入座３の挿入孔３１を錠具８の鍵穴８１に対応させる。そして解錠装置をいかなる物理的な結合方式を利用して錠具８の一方の側辺に設置することができる。例えば、外枠１に固定部を増設することによって螺着したり、または他に固定座を設置することによって解錠装置を固定したりすることができる。また、本実施例の解錠装置は箱体の錠具、ドアロック、Ｕ字型ロックおよびハンドルロックなどの各種の錠具に適用することができる。
【００２４】
再び図１、２、３を参照すると、本発明の解錠装置を使用して解錠または施錠の作動を行う時、先ず鍵７を鍵導入座３の挿入孔３１の中に挿入し、嵌入部７１と挿入孔３１が対応するように非正円形の形態に設計されるため、鍵７は特定の角度だけで挿入孔３１の中に挿入することができるように制限される。この時、変位本体２の貫通孔２３が鍵導入座３の挿入孔３１とはずれるように形成されることにより、鍵７は変位本体２のめくら孔２９によって阻隔されるため、直接錠具８の鍵穴８１の中に挿入することができない。
【００２５】
図４は本発明の鍵穴隠れ式解錠装置の解錠または施錠の作動を行う状態の断面図で、図５は本発明の鍵穴隠れ式解錠装置の解錠または施錠の作動を行う状態の側面断面図である。図４、５を参照すると、連桿４のボタン４１または変位本体２を握持し、変位本体２を外枠１と鍵導入座３に相対して特定の角度を回動させることにより、この時に固定体５の側溝５３も鍵７の係止部７３まで回動させ、さらに連桿４の連接部４２を係止部７３と互いに嵌合するように形成させる。さらに詳しく言えば、変位本体２を特定な角度で回動させる時、側溝５３、係止溝４３と係止部７３は同じ曲率の半径を有するように形成されることにより、係止部７３を側溝７３から貫穿して係止溝４３と嵌合するように形成することができる。
【００２６】
このように、ボタン４１を押圧することにより、連桿４をＸ軸の方向に沿って外枠１に移動させる時、鍵７を貫通孔２３から貫穿させることができると同時に、鍵７の歯部７２は錠具８の鍵穴８１の中に挿入される。この時にボタン４１を回動させることによって連桿４と鍵７が同時に回動するのを連動することができるため、解錠または施錠の作動を行うことができる。
【産業上の利用可能性】
【００２７】
上述の如く、本発明の鍵穴隠れ式解錠装置によれば、鍵７を導入して錠具８の鍵穴８１に対して解錠または施錠の作動を行うことができるとともに、錠具８の鍵穴８１を隠すこともできるため、鍵穴８１を直接接触したり覗いたりすることができないため、よりよい盗難防止の効果を達成することができる。
【００２８】
本発明は、その精神とび必須の特徴事項から逸脱することなく他のやり方で実施することができる。従って、本明細書に記載した好ましい実施形態は例示的なものであり、限定的なものではない。
【符号の説明】
【００２９】
１    外枠
１１    収容空間
１１０    第一貫通孔
１１２    第二貫通孔
１２    位置決め孔
１３    位置決め部材
２    変位本体
２１    嵌入空間
２２    嵌入孔
２３    貫通孔
２４    位置決め溝
２５    側壁
２６    位置決め孔
２７    固定部材
２８    滑動溝
２９    めくら孔
３０    貫通孔
３    鍵導入座
３１    挿入孔
３２    係止孔
３３    第一端
３４    第二端
４    連桿
４１    ボタン
４２    連接部
４３    係止溝
４４    固定部材
５    固定体
５１    通孔
５２    収容部
５３    側溝
５４    位置決め孔
５５    円弧面側壁
５６    平面側壁
５７    第一端
５８    第二端
６    外カバー
６１    孔
６２    位置決め部材
７    鍵
７１    嵌入部
７２    歯部
７３    係止部
８    錠具
８１    鍵穴
【図１】
2010084511.tif 000003
【図２】
2010084511.tif 000004
【図３】
2010084511.tif 000005
【図４】
2010084511.tif 000006
【図５】
2010084511.tif 000007